(57)【要約】      （修正有）【課題】電力使用量を画期的に減縮することができ、総エネルギー効率も大きく向上させることができる吸着式ハイブリッド除湿冷房システムを提供する。【解決手段】外部熱源を利用して冷房を生産する吸着式冷房機を含む吸着式ハイブリッド除湿冷房システムにおいて、再生通路内の除湿ロータの上流側に設けられる再生予熱器と、除湿通路内の除湿ロータの下流側に設けられる冷却器と、を含む除湿冷房機と、第１サブ吸着器及び第２サブ吸着器を含む吸着器と、その凝縮熱で暖房を生産する凝縮器と、その蒸発熱で冷房を生産する蒸発器と、を含む吸着式冷房機と、を含み、吸着器は、外部熱源及び再生予熱器それぞれに連結され、再生予熱器は、吸着器で生成される吸着熱によって加熱される。【選択図】図１
2018179486.tif 000002
【特許請求の範囲】
【請求項１】
外部熱源を利用して冷房を生産する吸着式冷房機を含む吸着式ハイブリッド除湿冷房システムにおいて、
空気が通過する再生通路と除湿通路とを含むハウジングと、前記再生通路と前記除湿通路とを区分する隔壁に設けられた、回転軸を中心に回転自在に、前記ハウジングの内部に設けられる除湿ロータと、前記再生通路内の前記除湿ロータの上流側に設けられる再生予熱器と、前記除湿通路内の前記除湿ロータの下流側に設けられる冷却器と、を含む除湿冷房機と、
吸着温度で冷媒を吸収し、再生温度で前記冷媒を脱着する第１サブ吸着器及び第２サブ吸着器を含む吸着器と、前記吸着器で脱着されたガス状の前記冷媒を凝縮させ、その凝縮熱で暖房を生産する凝縮器と、前記冷媒を蒸発させ、ガス状の前記冷媒を、前記吸着器に伝達し、その蒸発熱で冷房を生産する蒸発器と、を含む吸着式冷房機と、を含み、
前記吸着器は、前記外部熱源及び前記再生予熱器それぞれに連結され、
前記再生予熱器は、前記吸着器で生成される吸着熱によって加熱される吸着式ハイブリッド除湿冷房システム。
【請求項２】
前記再生通路内において、前記再生予熱器と前記除湿ロータとの間に設けられ、前記吸着器を通過して減温された前記外部熱源によって加熱されるヒーティングコイルをさらに含むことを特徴とする請求項１に記載の吸着式ハイブリッド除湿冷房システム。
【請求項３】
前記再生通路に流入した前記空気は、前記再生予熱器及び前記ヒーティングコイルを通過して順次に加熱され、加熱された前記空気は、前記再生通路を通る前記除湿ロータを再生させることを特徴とする請求項２に記載の吸着式ハイブリッド除湿冷房システム。
【請求項４】
前記除湿通路に流入した前記空気は、前記除湿通路を通る前記除湿ロータを経て除湿され、除湿された前記空気は、前記冷却器を経ながら冷却することを特徴とする請求項１に記載の吸着式ハイブリッド除湿冷房システム。
【請求項５】
前記除湿冷房機は、
前記吸着式冷房機の前記蒸発器と連結され、前記除湿通路内において、前記冷却器の下流側に設けられ、前記冷却器を経ながら冷却された前記空気を再冷却する再冷却器をさらに含むことを特徴とする請求項４に記載の吸着式ハイブリッド除湿冷房システム。
【請求項６】
前記冷却器は、再生蒸発式冷却器であることを特徴とする請求項１に記載の吸着式ハイブリッド除湿冷房システム。
【請求項７】
前記吸着式冷房機は、
前記第１サブ吸着器及び前記第２サブ吸着器それぞれを、前記凝縮器と前記蒸発器とに連結する冷媒配管をさらに含み、
前記冷媒配管は、前記凝縮器と前記蒸発器とを連結し、
前記冷媒配管内部を流れる冷媒は、前記第１サブ吸着器、前記凝縮器、前記蒸発器及び前記第２サブ吸着器、または前記第２サブ吸着器、前記凝縮器、前記蒸発器及び前記第１サブ吸着器を順次に循環することを特徴とする請求項１に記載の吸着式ハイブリッド除湿冷房システム。
【請求項８】
前記吸着式冷房機は、
前記第１サブ吸着器を、前記凝縮器及び前記蒸発器と連結する前記冷媒配管に設けられる第１冷媒弁と、
前記第２サブ吸着器を、前記凝縮器及び前記蒸発器と連結する前記冷媒配管に設けられる第２冷媒弁と、
前記凝縮器と前記蒸発器とを連結する前記冷媒配管に設けられる第３冷媒弁をさらに含むことを特徴とする請求項７に記載の吸着式ハイブリッド除湿冷房システム。
【請求項９】
前記吸着式冷房機は、
前記再生予熱器を、前記第１サブ吸着器及び前記第２サブ吸着器に連結する第１熱伝逹媒体配管と、
前記外部熱源を、前記第１サブ吸着器及び前記第２サブ吸着器に連結する第２熱伝逹媒体配管と、を含む熱伝逹媒体配管をさらに含むことを特徴とする請求項７に記載の吸着式ハイブリッド除湿冷房システム。
【請求項１０】
前記吸着式冷房機は、
前記第１サブ吸着器の前記熱伝逹媒体配管側上流側に設けられ、前記外部熱源及び前記再生予熱器のうち一つを、前記第１サブ吸着器の前記熱伝逹媒体配管側上流側に連結する第１−１熱伝逹媒体弁と、
前記第１サブ吸着器の前記熱伝逹媒体配管側下流側に設けられ、前記第１サブ吸着器の前記熱伝逹媒体配管側下流側を、前記外部熱源及び前記再生予熱器のうち一つに連結する第１−２熱伝逹媒体弁と、
前記第２サブ吸着器の前記熱伝逹媒体配管側上流側に設けられ、前記外部熱源及び前記再生予熱器のうち一つを、前記第２サブ吸着器の前記熱伝逹媒体配管側上流側に連結する第２−１熱伝逹媒体弁と、
前記第２サブ吸着器の前記熱伝逹媒体配管側下流側に設けられ、前記第２サブ吸着器の前記熱伝逹媒体配管側下流側を、前記外部熱源及び前記再生予熱器のうち一つに連結する第２−２熱伝逹媒体弁と、をさらに含むことを特徴とする請求項９に記載の吸着式ハイブリッド除湿冷房システム。
【請求項１１】
前記第１−１熱伝逹媒体弁は、前記第１サブ吸着器の前記熱伝逹媒体配管側上流側で、前記第１熱伝逹媒体配管と前記第２熱伝逹媒体配管とが互いに出合う位置に設けられ、
前記第１−２熱伝逹媒体弁は、前記第１サブ吸着器の前記熱伝逹媒体配管側下流側で、前記第１熱伝逹媒体配管と前記第２熱伝逹媒体配管とが分岐される位置に設けられ、
前記第２−１熱伝逹媒体弁は、前記第２サブ吸着器の前記熱伝逹媒体配管側上流側で、前記第１熱伝逹媒体配管と前記第２熱伝逹媒体配管とが互いに出合う位置に設けられ、
前記第２−２熱伝逹媒体弁は、前記第２サブ吸着器の前記熱伝逹媒体配管側下流側で、前記第１熱伝逹媒体配管と前記第２熱伝逹媒体配管とが分岐される位置に設けられることを特徴とする請求項１０に記載の吸着式ハイブリッド除湿冷房システム。
【請求項１２】
前記第１−１熱伝逹媒体弁が、前記第１サブ吸着器の前記熱伝逹媒体配管側上流側を、前記再生予熱器に連結した場合、
前記第１−２熱伝逹媒体弁は、前記第１サブ吸着器の前記熱伝逹媒体配管側下流側を、前記再生予熱器に連結し、
前記第２−１熱伝逹媒体弁は、前記第２サブ吸着器の前記熱伝逹媒体配管側上流側を、前記外部熱源に連結し、
前記第２−２熱伝逹媒体弁は、前記第２サブ吸着器の前記熱伝逹媒体配管側下流側を、前記外部熱源に連結することを特徴とする請求項１０に記載の吸着式ハイブリッド除湿冷房システム。
【請求項１３】
前記第１サブ吸着器の前記冷媒配管側は、前記蒸発器と連結され、前記蒸発器で蒸発された前記冷媒を伝達され、前記冷媒を吸収し、
前記第２サブ吸着器の前記冷媒配管側は、前記凝縮器と連結され、前記第２サブ吸着器で脱着された前記冷媒を、前記凝縮器に伝達することを特徴とする請求項１２に記載の吸着式ハイブリッド除湿冷房システム。
【請求項１４】
前記第１−１熱伝逹媒体弁が、前記第１サブ吸着器の前記熱伝逹媒体配管側上流側を、前記外部熱源に連結する場合、
前記第１−２熱伝逹媒体弁は、前記第１サブ吸着器の前記熱伝逹媒体配管側下流側を、前記外部熱源に連結し、
前記第２−１熱伝逹媒体弁は、前記第２サブ吸着器の前記熱伝逹媒体配管側上流側を、前記再生予熱器に連結し、
前記第２−２熱伝逹媒体弁は、前記第２サブ吸着器の前記熱伝逹媒体配管側下流側を、前記再生予熱器に連結することを特徴とする請求項１０に記載の吸着式ハイブリッド除湿冷房システム。
【請求項１５】
前記第１サブ吸着器の前記冷媒配管側は、前記凝縮器と連結され、前記第１サブ吸着器で脱着された前記冷媒を、前記凝縮器に伝達し、
前記第２サブ吸着器の前記冷媒配管側は、前記蒸発器と連結され、前記蒸発器で蒸発された前記冷媒を伝達され、前記冷媒を吸着することを特徴とする請求項１４に記載の吸着式ハイブリッド除湿冷房システム。
【請求項１６】
前記吸着式冷房機は、
前記第１サブ吸着器と前記第２サブ吸着器との前記熱伝逹媒体配管側下流側に設けられ、前記第１サブ吸着器と前記第２サブ吸着器との前記熱伝逹媒体配管側下流側を、前記外部熱源と前記ヒーティングコイルとのうち一つに連結する第３熱伝逹媒体弁をさらに含むことを特徴とする請求項９に記載の吸着式ハイブリッド除湿冷房システム。
【請求項１７】
前記吸着式冷房機は、
前記外部熱源と前記吸着器との間に設けられ、前記外部熱源を前記吸着器に導く第１ポンプをさらに含むことを特徴とする請求項１に記載の吸着式ハイブリッド除湿冷房システム。
【請求項１８】
前記吸着式冷房機は、
前記再生予熱器と前記吸着器との間に設けられ、前記再生予熱器の熱伝逹媒体を、前記吸着器に導く第２ポンプをさらに含むことを特徴とする請求項１に記載の吸着式ハイブリッド除湿冷房システム。
【発明の詳細な説明】
【技術分野】
【０００１】
本発明は、吸着式ハイブリッド除湿冷房システムに係り、さらに詳細には、電力使用量を画期的に減縮することができる吸着式ハイブリッド除湿冷房システムに関する。
【背景技術】
【０００２】
電気式ハイブリッド除湿冷房技術は、除湿冷房システムに、電気式ヒートポンプを追加して冷房出力を向上させ、ヒートポンプの配列を、除湿冷房システムの再生空気を予熱するところに使用し、再生熱使用を節減することにより、エネルギー効率を向上させることができる。ただし、電気式ヒートポンプを駆動するための圧縮器の電力使用量が追加されるので、実際、全体電力使用量は、基本除湿冷房に対して、むしろ増加してしまう。
【０００３】
前述の背景技術は、発明者が本発明の実施形態の導出のために保有していたり、導出過程で習得したりした技術情報であり、必ずしも本発明の実施形態出願前に、一般公衆に公開された公知技術とすることはできない。
【発明の概要】
【発明が解決しようとする課題】
【０００４】
本発明の実施形態は、前述のところのような問題点を含み、さまざまな問題点を解決するためのものであり、除湿冷房システムに、外部熱源として駆動される吸着式冷房機を追加することにより、電力使用量を画期的に減縮することができ、総エネルギー効率も大きく向上させることができる吸着式ハイブリッド除湿冷房システムを提供することを目的にする。しかし、かような課題は、例示的なものであり、それによって、本発明の実施形態の範囲が限定されるものではない。
【課題を解決するための手段】
【０００５】
本発明の一観点によれば、外部熱源を利用して冷房を生産する吸着式冷房機を含む吸着式ハイブリッド除湿冷房システムにおいて、（ｉ）空気が通過する再生通路と除湿通路とを含むハウジングと、再生通路と除湿通路とを区分する隔壁に設けられた、回転軸を中心に回転自在にハウジングの内部に設けられる除湿ロータと、再生通路内の除湿ロータの上流側に設けられる再生予熱器と、除湿通路内の除湿ロータの下流側に設けられる冷却器と、を含む除湿冷房機と、（ｉｉ）吸着温度で冷媒を吸収し、再生温度で冷媒を脱着する第１サブ吸着器及び第２サブ吸着器を含む吸着器と、吸着器で脱着されたガス状の冷媒を凝縮させ、その凝縮熱で暖房を生産する凝縮器と、冷媒を蒸発させ、ガス状の冷媒を吸着器に伝達し、その蒸発熱で冷房を生産する蒸発器と、を含む吸着式冷房機と、を含み、該吸着器は、外部熱源及び再生予熱器それぞれに連結され、該再生予熱器は、該吸着器で生成される吸着熱によって加熱される吸着式ハイブリッド除湿冷房システムが提供される。
【０００６】
本実施形態において、において、再生予熱器と除湿ロータとの間に設けられ、吸着器を通過して減温された外部熱源によって加熱されるヒーティングコイルをさらに含んでもよい。
【０００７】
本実施形態において、再生通路に流入した空気は、再生予熱器及びヒーティングコイルを通過して順次に加熱され、加熱された空気は、再生通路を通る除湿ロータを再生させることができる。
【０００８】
本実施形態において、除湿通路に流入した空気は、除湿通路を通る除湿ロータを経て除湿され、除湿された空気は、冷却器を経ながら冷却される。
本実施形態において、除湿冷房機は、吸着式冷房機の蒸発器と連結され、除湿通路内において、冷却器の下流側に設けられ、冷却器を経ながら冷却された空気を再冷却する再冷却器をさらに含んでもよい。
【０００９】
本実施形態において、該冷却器は、再生蒸発式冷却器でもある。
【００１０】
本実施形態において、吸着式冷房機は、第１サブ吸着器及び第２サブ吸着器をそれぞれ凝縮器と蒸発器とに連結する冷媒配管をさらに含み、該冷媒配管は、該凝縮器と該蒸発器とを連結し、冷媒配管内部を流れる冷媒は、第１サブ吸着器、凝縮器、蒸発器及び第２サブ吸着器、または第２サブ吸着器、凝縮器、蒸発器及び第１サブ吸着器を順次に循環することができる。
【００１１】
本実施形態において、吸着式冷房機は、第１サブ吸着器を、凝縮器及び蒸発器と連結する冷媒配管に設けられる第１冷媒弁と、第２サブ吸着器を、凝縮器及び蒸発器と連結する冷媒配管に設けられる第２冷媒弁と、凝縮器と蒸発器とを連結する冷媒配管に設けられる第３冷媒弁と、をさらに含んでもよい。
【００１２】
本実施形態において、吸着式冷房機は、再生予熱器を、第１サブ吸着器及び第２サブ吸着器に連結する第１熱伝逹媒体配管と、外部熱源を、第１サブ吸着器及び第２サブ吸着器に連結する第２熱伝逹媒体配管と、を含む熱伝逹媒体配管をさらに含んでもよい。
【００１３】
本実施形態において、吸着式冷房機は、第１サブ吸着器の熱伝逹媒体配管側上流側に設けられ、外部熱源及び再生予熱器のうち一つを、第１サブ吸着器の熱伝逹媒体配管側上流側に連結する第１−１熱伝逹媒体弁と、第１サブ吸着器の熱伝逹媒体配管側下流側に設けられ、第１サブ吸着器の熱伝逹媒体配管側下流側を、外部熱源及び再生予熱器のうち一つに連結する第１−２熱伝逹媒体弁と、第２サブ吸着器の熱伝逹媒体配管側上流側に設けられ、外部熱源及び再生予熱器のうち一つを、第２サブ吸着器の熱伝逹媒体配管側上流側に連結する第２−１熱伝逹媒体弁と、第２サブ吸着器の熱伝逹媒体配管側下流側に設けられ、第２サブ吸着器の熱伝逹媒体配管側下流側を、外部熱源及び再生予熱器のうち一つに連結する第２−２熱伝逹媒体弁と、をさらに含んでもよい。
【００１４】
本実施形態において、第１−１熱伝逹媒体弁は、第１サブ吸着器の熱伝逹媒体配管側上流側において、第１熱伝逹媒体配管と第２熱伝逹媒体配管とが互いに出合う位置に設けられ、第１−２熱伝逹媒体弁は、第１サブ吸着器の熱伝逹媒体配管側下流側において、第１熱伝逹媒体配管と第２熱伝逹媒体配管とが分岐される位置に設けられ、第２−１熱伝逹媒体弁は、第２サブ吸着器の熱伝逹媒体配管側上流側において、第１熱伝逹媒体配管と第２熱伝逹媒体配管とが互いに出合う位置に設けられ、第２−２熱伝逹媒体弁は、第２サブ吸着器の熱伝逹媒体配管側下流側において、第１熱伝逹媒体配管と第２熱伝逹媒体配管とが分岐される位置にも設けられる。
【００１５】
本実施形態において、第１−１熱伝逹媒体弁が、第１サブ吸着器の熱伝逹媒体配管側上流側を再生予熱器に連結した場合、第１−２熱伝逹媒体弁は、第１サブ吸着器の熱伝逹媒体配管側下流側を再生予熱器に連結し、第２−１熱伝逹媒体弁は、第２サブ吸着器の熱伝逹媒体配管側上流側を外部熱源に連結し、第２−２熱伝逹媒体弁は、第２サブ吸着器の熱伝逹媒体配管側下流側を外部熱源に連結することができる。
【００１６】
本実施形態において、第１サブ吸着器は、蒸発器と連結され、蒸発器で蒸発された冷媒を伝達されて冷媒を吸収し、第２サブ吸着器は、凝縮器と連結され、第２サブ吸着器で脱着された冷媒を、前記凝縮器に伝達することができる。
【００１７】
本実施形態において、第１−１熱伝逹媒体弁が、第２サブ吸着器の熱伝逹媒体配管側上流側を再生予熱器に連結した場合、第１−２熱伝逹媒体弁は、第２サブ吸着器の熱伝逹媒体配管側下流側を再生予熱器に連結し、第２−１熱伝逹媒体弁は、第１サブ吸着器の熱伝逹媒体配管側上流側を外部熱源に連結し、第２−２熱伝逹媒体弁は、第１サブ吸着器の熱伝逹媒体配管側下流側を外部熱源に連結することができる。
【００１８】
本実施形態において、第１サブ吸着器の冷媒配管側は、凝縮器と連結され、第１サブ吸着器で脱着された冷媒を凝縮器に伝達し、第２サブ吸着器の冷媒配管側は、蒸発器と連結され、蒸発器で蒸発された冷媒を伝達されて冷媒を吸着することができる。
【００１９】
本実施形態において、第１サブ吸着器及び第２サブ吸着器の熱伝逹媒体配管側下流側に設けられ、第１サブ吸着器及び第２サブ吸着器の熱伝逹媒体配管側下流側を、外部熱源とヒーティングコイルとのうち一つに連結する第３熱伝逹媒体弁をさらに含んでもよい。
【００２０】
本実施形態において、吸着式冷房機は、外部熱源と吸着器との間に設けられ、該外部熱源を吸着器に導く第１ポンプをさらに含んでもよい。
【００２１】
本実施形態において、吸着式冷房機は、再生予熱器と吸着器との間に設けられ、該再生予熱器の熱伝逹媒体を吸着器に導く第２ポンプをさらに含んでもよい。
【発明の効果】
【００２２】
本発明の一実施形態によれば、除湿冷房システムに、外部熱源として駆動される吸着式冷房機を追加することにより、電力使用量を画期的に減縮することができ、総エネルギー効率も大きく向上させることができる吸着式ハイブリッド除湿冷房システムを具現することができる。ただし、かような効果によって、本発明の範囲が限定されるものではないということはいうまでもない。
【図面の簡単な説明】
【００２３】
【図１】本発明の一実施形態による吸着式ハイブリッド除湿冷房システムの構成を概略的に示す斜視図である。
【図２】図１に図示された吸着式ハイブリッド除湿冷房システムの第１作動例を概略的に示す概念図である。
【図３】図１に図示された吸着式ハイブリッド除湿冷房システムの第２作動例を概略的に示す概念図である。
【発明を実施するための形態】
【００２４】
本発明は、多様な変換を加えることができ、さまざまな実施形態を有することができるが、特定実施形態を図面に例示し、詳細な説明によって詳細に説明する。本発明の効果、特徴、及びそれらを達成する方法は、図面と共に詳細に説明する実施形態を参照すれば、明確になるであろう。しかし、本発明は、以下で開示される実施形態に限定されるものではなく、多様な形態にも具現される。
【００２５】
以下の実施形態において、単数の表現は、文脈上明白に異なって意味しない限り、複数の表現を含む。また、「含む」または「有する」というような用語は、明細書上に記載された特徴または構成要素が存在するということを意味するものであり、１以上の他の特徴または構成要素が付加される可能性をあらかじめ排除するものではない。
【００２６】
第１、第２のような用語は、多様な構成要素の説明に使用されるが、該構成要素は、用語によって限定されるものではない。該用語は、１つの構成要素を他の構成要素から区別する目的のみに使用される。
【００２７】
また、図面においては、説明の便宜のために構成要素がその大きさが、誇張または縮小されてもいる。例えば、図面で示された各構成の大きさ及び厚みは、説明の便宜のために任意に示されており、本発明は、必ずしも図示されたところに限定されるものではない。
【００２８】
以下、添付された図面を参照し、本発明の実施形態について詳細に説明するが、図面を参照して説明するとき、同一であるか、あるいは対応する構成要素は、同一図面符号を付し、それに係わる重複説明は省略する。
【００２９】
図１は、本発明の一実施形態による吸着式ハイブリッド除湿冷房システムを概略的に示す概念図であり、図２は、図１に図示された吸着式ハイブリッド除湿冷房システムの第１作動例を概略的に示す概念図であり、図３は、図１に図示された吸着式ハイブリッド除湿冷房システムの第２作動例を概略的に示す概念図である。
【００３０】
まず、図１を参照すれば、吸着式ハイブリッド除湿冷房システム１００は、除湿冷房機１１０と吸着式冷房機１２０とを含んでもよい。
【００３１】
除湿冷房機１１０は、ハウジング１１１、除湿ロータ１１２、ヒーティングコイル１１３、再生予熱器１１４、冷却器１１５、再冷却器１１６、フィルタ１１７及び送風機１１８を含んでもよい。
【００３２】
ハウジング１１１は、空気が通過する再生通路ＲＰと除湿通路ＤＰとを含み、除湿冷房機１１０の他の構成要素が設けられる内部空間を設ける構成であり、一種のケースの役割を行う。また、図面に図示されていないが、ハウジング１１１は、除湿冷房機１１０だけではなく、後述する吸着式冷房機１２０の各構成要素も、内部に収容することができる。
【００３３】
ただし、図面では、説明の便宜のために、除湿冷房機１１０と吸着式冷房機１２０との各構成要素をブロックで描き、互いに区分して示した。しかし、本発明の実施形態は、図面に描写されたハウジング１１１の構造に限定されるものではなく、例えば、ハウジング１１１は、除湿冷房機１１０と吸着式冷房機１２０とをいずれも収容することができる。ただし、図面に示されているように、吸着式冷房機１２０の各構成要素は、ハウジング１１１の再生通路ＲＰ及び除湿通路ＤＰとは異なるハウジング１１１の内部に設けられた別個の空間にも配置される。
【００３４】
なお、図面に別途に図示していないが、ハウジング１１１の再生通路ＲＰ及び除湿通路ＤＰには、それぞれ空気が流入されて排出される流入口（図示せず）と排出口（図示せず）とを含んでもよい。例えば、再生通路ＲＰのような場合、外気（outdoor air）が流入される再生通路ＲＰの一側に流入口が設けられ、それと同様に、排気（exhaustion air）がなされる再生通路ＲＰの他側には、排気口が設けられる。また、除湿通路ＤＰのような場合、空調空間ＣＳから還気（return air）となる空気と、外気とが流入される除湿通路ＤＰの一側には、流入口が設けられ、空調空間ＣＳに対する給気（supply air）がなされる除湿通路ＤＰの他側には、排出口が設けられる。
【００３５】
また、ハウジング１１１内部には、再生通路ＲＰ及び除湿通路ＤＰを区分する隔壁Ｗが設けられてもよい。かような隔壁Ｗは、再生通路ＲＰ及び除湿通路ＤＰの内部でそれぞれ流動する空気が互いに混合しないように、再生通路ＲＰ及び除湿通路ＤＰを流体学的に遮断する役割を行う。
【００３６】
除湿ロータ１１２は、隔壁Ｗに設けられた回転軸１１２ｒを中心に、回転自在に、ハウジング１１１の内部にも設けられる。詳細には、除湿ロータ１１２は、望ましくは、セラミックス材質の紙から構成されたハニカム（honeycomb）状の多孔構造に形成され、セラミックス紙表面には、シリカゲル（silica gel）のような除湿剤が安定してコーティングされている。
【００３７】
かような除湿ロータ１１２は、回転軸１１２ｒを中心に回転する間、一部が再生通路ＲＰを通過することができるが、このとき、一部を除いた除湿ロータ１１２の残り部分は、除湿通路ＤＰを通過することができる。ここで、再生通路ＲＰを通過する除湿ロータ１１２の一部では、除湿ロータ１１２に吸着された水分が脱着されることにより、その後、除湿ロータ１１２が除湿通路ＤＰに進入する場合、さらに水分を吸着するように除湿ロータ１１２の一部が再生される。一方、除湿通路ＤＰを通過する除湿ロータ１１２の残り部分（再生通路を通る除湿ロータの一部を除いた残り部分）は、除湿通路ＤＰの内部を流動する空気中の水分を吸着することができる。
【００３８】
そして、除湿ロータ１１２は、回転する間、再生及び吸着がなされる位置が持続的に変更されるので、除湿ロータ１１２を止めなくとも、再生通路ＲＰ及び除湿通路ＤＰにおいては、除湿ロータ１１２の再生及び吸着が持続的になされる。
【００３９】
ヒーティングコイル１１３は、再生通路ＲＰ内において、除湿ロータ１１２と再生予熱器１１４との間にも設けられる。後述するが、ヒーティングコイル１１３は、吸着器１２１を通過して減温された外部熱源ＥＨＳによって加熱され、ヒーティングコイル１１３を過ぎる空気を加熱することができる。かような外部熱源ＥＨＳとヒーティングコイル１１３との熱交換作用については、以下、吸着式冷房機１２０に係わる説明と共に具体的に説明する。
【００４０】
再生予熱器１１４は、除湿ロータ１１２の上流側に設けられ、詳細には、ヒーティングコイル１１３の上流側にも設けられる。後述するが、再生予熱器１１４は、吸着式冷房機１２０の吸着器１２１に連結され、吸着器１２１で生成される吸着熱によって加熱され、再生予熱器１１４を経る空気を加熱することができる。かような吸着器１２１と再生予熱器１１４との熱交換作用については、以下、吸着式冷房機１２０に係わる説明と共に具体的に説明する。
【００４１】
一方、再生通路ＲＰに流入した空気は、再生予熱器１１４とヒーティングコイル１１３とを通過し、順次に加熱される。例えば、再生予熱器１１４は、約３０℃の温度を維持し、ヒーティングコイル１１３は、約７０℃の温度を維持するように、再生通路ＲＰ内に設けられ、再生予熱器１１４とヒーティングコイル１１３とを通過する空気を順次に加熱することができる。かように、再生予熱器１１４とヒーティングコイル１１３とを経て加熱された空気は、再生通路ＲＰを経る除湿ロータ１１２の一部を加熱し、除湿ロータ１１２に吸着された水分を蒸発させ、除湿ロータ１１２を再生させることができる。
【００４２】
冷却器１１５は、除湿通路ＤＰを通過する除湿ロータ１１２の下流側にも設けられる。かような構造によれば、除湿通路ＤＰに流入した空気は、除湿通路ＤＰを経る除湿ロータ１１２を経て除湿され、除湿された空気は、冷却器１１５を経ながら冷却される。
【００４３】
詳細には、冷却器１１５は、再生蒸発式冷却器を含んでもよい。該再生蒸発式冷却器は、除湿ロータ１１２を通過した高温乾燥された空気を通過させる乾チャネルと、乾チャネルを通過した空気のうち一部を、乾チャネルと区分される湿チャネルとに回収し、高温乾燥された空気が経る湿チャネルにおいては、水を蒸発させることにより、かような蒸発潜熱で、乾チャネルを通過する空気を冷却する装置である。すなわち、冷却器１１５に流入した高温乾燥された空気は、乾チャネルを通過しながら冷却され、後述する再冷却器１１６側に流動し、湿チャネルに回収された空気は、加湿された状態で外部に排気される。
【００４４】
再冷却器１１６は、後述する吸着式冷房機１２０の蒸発器１２３と連結され、除湿通路ＤＰ内において、冷却器１１５の下流側に設けられ、冷却器１１５を経ながら冷却された空気を再冷却することができる。再冷却器１１６で冷却された空気は、除湿通路ＤＰの排出口を介して、空調空間ＣＳに給気されることにより、結果として、空調空間ＣＳに冷房を供給することができる。
【００４５】
フィルタ１１７は、外気が流入される再生通路ＲＰ側の最上流側と、還気及び外気が流入される除湿通路ＤＰの最上流側と、にそれぞれ設けられ、再生通路ＲＰ及び除湿通路ＤＰに流入される空気内の異物や細菌をフィルタリングすることができる。
【００４６】
送風機１１８は、再生通路ＲＰを経る除湿ロータ１１２の下流側と、除湿通路ＤＰを経る除湿ロータ１１２の下流側と、にそれぞれ設けられ、再生通路ＲＰ及び除湿通路ＤＰに流入される空気を、排出口側に強制流動させる役割を行う。
【００４７】
次に、吸着式冷房機１２０は、吸着器１２１と凝縮器１２２と蒸発器１２３とを含んでもよい。
【００４８】
吸着器１２１は、吸着温度で冷媒を吸収し、再生温度で冷媒を脱着する第１サブ吸着器１２１ａ及び第２サブ吸着器１２１ｂを含んでもよい。例えば、吸着温度は、３０℃ないし５０℃ほどが望ましく、再生温度は、７０℃ないし９０℃ほどが望ましい。
【００４９】
第１サブ吸着器１２１ａと第２サブ吸着器１２１ｂは、冷媒を吸着する吸着モードと、冷媒を脱着する再生モードと、をそれぞれ遂行することができる。すなわち、もし第１サブ吸着器１２１ａが吸着モードを遂行する場合、第２サブ吸着器１２１ｂは、再生モードを遂行することができ、反対に、第１サブ吸着器１２１ａが再生モードを遂行する場合、第２サブ吸着器１２１ｂは、吸着モードを遂行することができる。
【００５０】
吸着器１２１の熱伝逹媒体配管ＭＰ側は、外部熱源ＥＨＳ及び再生予熱器１１４それぞれに連結される。すなわち、第１サブ吸着器１２１ａと第２サブ吸着器１２１ｂとの熱伝逹媒体配管ＭＰ側は、それぞれ外部熱源ＥＨＳと再生予熱器１１４とに相互に連結される。第１サブ吸着器１２１ａと第２サブ吸着器１２１ｂとの作動は、後述する凝縮器１２２及び蒸発器１２３、並びに外部熱源ＥＨＳ及び再生予熱器１１４の相互作用と関連しているので、以下、凝縮器１２２と蒸発器１２３とについて説明した後で、さらに詳細に説明する。
【００５１】
凝縮器１２２は、吸着器１２１で脱着されたガス状の冷媒を凝縮させ、その凝縮熱で暖房を生産することができる。詳細には、凝縮器１２２は、第１サブ吸着器１２１ａと第２サブ吸着器１２１ｂとのうち、再生モードで作動する吸着器１２１（すなわち、第１サブ吸着器１２１ａ及び第２サブ吸着器１２１ｂのうち一つ）から脱着されたガス状の冷媒を伝達され、凝縮器１２２に伝達されたガス状の冷媒は、凝縮器１２２で凝縮される。そして、凝縮器１２２において、ガス状の冷媒が凝縮されることにより、その凝縮熱は、凝縮器１２２の内部を貫通ように設けられる冷却水管（図示せず）を経る冷却水に伝達される。
【００５２】
蒸発器１２３は、冷媒を蒸発させ、ガス状の冷媒を吸着器１２１に伝達し、その蒸発熱で冷房を生産することができる。詳細には、蒸発器１２３は、第１サブ吸着器１２１ａと第２サブ吸着器１２１ｂとのうち、吸着モードで作動する吸着器１２１（すなわち、第１サブ吸着器１２１ａ及び第２サブ吸着器１２１ｂのうち一つ）にガス状の冷媒を伝達することができ、吸着器１２１に伝達されたガス状の冷媒は、吸着器１２１で吸着（absorption）される。一方、蒸発器１２３において、冷媒が蒸発するために必要な蒸発熱は、蒸発器１２３の内部を貫通ように設けられる冷水管（図示せず）を経る冷水で供給される。図面に図示されていないが、前記冷水管は、除湿冷房機１１０の再冷却器１６０に連結され、蒸発器１２３で冷却された冷水は冷水管を介して、除湿冷房機１１０の再冷却器１１６に伝達され、空調空間ＣＳに冷房を供給するのに使用される。
【００５３】
一方、図面に図示されているように、凝縮器１２２と蒸発器１２３は、それぞれ第１サブ吸着器１２１ａと第２サブ吸着器１２１ｂと冷媒配管ＲＥＰとを介して連結されている。冷媒配管ＲＥＰには、第１サブ吸着器１２１ａ側と第２サブ吸着器１２１ｂ側とに、それぞれ第１冷媒弁Ｖ１と第２冷媒弁Ｖ２とが設けられ、かような第１冷媒弁Ｖ１及び第２冷媒弁Ｖ２を介して、第１サブ吸着器１２１ａ及び第２サブ吸着器それぞれを凝縮器１２２または蒸発器１２３と連結させることができる。
【００５４】
一方、図面に図示されていないが、第１冷媒弁Ｖ１及び第２冷媒弁Ｖ２は、第１サブ吸着器１２１ａと凝縮器１２２との間、第１サブ吸着器１２１ａと蒸発器１２３との間、及び第２サブ吸着器１２１ｂと凝縮器１２２との間、第２サブ吸着器１２１ｂと蒸発器１２３との間にもそれぞれ設けられる。しかし、以下では、図面に示されているように、第１冷媒弁Ｖ１が、第１サブ吸着器１２１ａを、凝縮器１２２及び蒸発器１２３に連結する一種の三方弁（three-way valve）であり、また第２冷媒弁Ｖ２が、第２サブ吸着器１２１ｂを、凝縮器１２２及び蒸発器１２３に連結する三方弁である場合を中心に説明する。
【００５５】
また、凝縮器１２２と蒸発器１２３は、やはり冷媒配管ＲＥＰを介して連結され、凝縮器１２２と蒸発器１２３とを連結する冷媒配管ＲＥＰには、凝縮器１２２で凝縮された液状の冷媒を、蒸発器１２３に伝達する第３冷媒弁Ｖ３が設けられてもよい。
【００５６】
具体的に説明すれば、第１サブ吸着器１２１ａと第２サブ吸着器１２１ｂとがそれぞれ除湿モードと再生モードとを遂行する場合、凝縮器１２２においては、液状の冷媒が持続的に生成される一方、蒸発器１２３に保存された液状の冷媒は蒸発し、吸着モードを遂行する第１サブ吸着器１２１ａ側または第２サブ吸着器１２１ｂ側に持続的に伝達される。
【００５７】
結果として、蒸発器１２３には、液状の冷媒が持続的に減少するので、液状の冷媒を持続的に補充する必要がある。従って、第３冷媒弁Ｖ３を開放し、凝縮器１２２で持続的に生成される液状の冷媒を蒸発器１２３に供給することができ、それを介して、冷媒をして、第１サブ吸着器１２１ａ（または、第２サブ吸着器１２１ｂ）、凝縮器１２２、蒸発器１２３及び第２サブ吸着器１２１ｂ（または、第１サブ吸着器１２１ａ）を循環するように装置を構成することができる。
【００５８】
一方、除湿冷房機１１０と吸着式冷房機１２０は、熱伝逹媒体配管ＭＰを介して、互いに連結される。具体的には、熱伝逹媒体配管ＭＰは、除湿冷房機１１０のヒーティングコイル１１３、再生予熱器１１４及び外部熱源ＥＨＳを、第１サブ吸着器１２１ａ及び第２サブ吸着器１２１ｂに連結することができる。
【００５９】
また、吸着式冷房機１２０は、第１サブ吸着器１２１ａに連結される熱伝逹媒体配管ＭＰの上流側に設けられ、外部熱源ＥＨＳ及び再生予熱器１１４のうち一つを、第１サブ吸着器１２１ａの熱伝逹媒体配管ＭＰ側上流側に連結する第１−１熱伝逹媒体弁１２４と、第１サブ吸着器１２１ａの熱伝逹媒体配管ＭＰ側下流側に設けられ、第１サブ吸着器１２１ａの熱伝逹媒体配管ＭＰ側下流側を、外部熱源ＥＨＳ及び再生予熱器１１４のうち一つに連結する第１−２熱伝逹媒体弁１２５と、第２サブ吸着器１２１ｂの熱伝逹媒体配管ＭＰ側上流側に設けられ、外部熱源ＥＨＳ及び再生予熱器１１４のうち一つを、第２サブ吸着器１２１ｂの熱伝逹媒体配管ＭＰ側上流側に連結する第２−１熱伝逹媒体弁１２６と、第２サブ吸着器１２１ｂの熱伝逹媒体配管ＭＰ側下流側に設けられ、第２サブ吸着器１２１ｂの熱伝逹媒体配管ＭＰ側下流側を、前記外部熱源ＥＨＳ及び再生予熱器１１４のうち一つに連結する第２−２熱伝逹媒体弁１２７と、第１サブ吸着器１２１ａと第２サブ吸着器１２１ｂとの熱伝逹媒体配管ＭＰ側下流側に設けられ、第１サブ吸着器１２１ａと第２サブ吸着器１２１ｂとの熱伝逹媒体配管ＭＰ側下流側を、外部熱源ＥＨＳとヒーティングコイル１１３とのうち一つに連結する第３熱伝逹媒体弁１２８と、をさらに含んでもよい。
【００６０】
具体的には、熱伝逹媒体配管ＭＰは、除湿冷房機１１０の再生予熱器１１４、第１サブ吸着器１２１ａ及び第２サブ吸着器１２１ｂを互いに連結する第１熱伝逹媒体配管ＭＰ１と、外部熱源ＥＨＳ及び第１サブ吸着器１２１ａ、並びに第２サブ吸着器１２１ｂ及びヒーティングコイル１１３を連結する第２熱伝逹媒体配管ＭＰ２と、を含んでもよい。
【００６１】
すなわち、第１−１熱伝逹媒体弁１２４は、第１サブ吸着器１２１ａの熱伝逹媒体配管ＭＰ側上流側において、第１熱伝逹媒体配管ＭＰ１と第２熱伝逹媒体配管ＭＰ２とが互いに出合う位置に設けられ、第１−１熱伝逹媒体弁１２４と第１サブ吸着器１２１ａは、共同配管ＭＰ＿Ｃを介して互いに連結される。それと同様に、第１−２熱伝逹媒体弁１２５、第２−１熱伝逹媒体弁１２６及び第２−２熱伝逹媒体弁１２７も、それぞれ第１サブ吸着器１２１ａと第２サブ吸着器１２１ｂとの、熱伝逹媒体配管ＭＰ側上流または熱伝逹媒体配管ＭＰ側下流側において、第１熱伝逹媒体配管ＭＰ１と第２熱伝逹媒体配管ＭＰ２とが互いに出合うか、あるいは互いに分岐される地点に設けられ、第１−２熱伝逹媒体弁１２５、第２−１熱伝逹媒体弁１２６及び第２−２熱伝逹媒体弁１２７それぞれは、第１サブ吸着器１２１ａまたは第２サブ吸着器１２１ｂと、共同配管ＭＰ＿Ｃとを介して互いに連結される。
【００６２】
また、吸着式冷房機１２０は、外部熱源ＥＨＳと吸着器１２１との間に設けられ、外部熱源ＥＨＳを吸着器１２１に導く第１ポンプ１２９ａをさらに含んでもよい。また、吸着式冷房機１２０は、再生予熱器１１４と吸着器１２１との間に設けられ、再生予熱器１１４の熱伝逹媒体を吸着器１２１に導く第２ポンプ１２９ｂをさらに含んでもよい。
【００６３】
一例示として、第１−１熱伝逹媒体弁１２４が、第１サブ吸着器１２１ａの熱伝逹媒体配管ＭＰ側上流側を再生予熱器１１４に連結した場合（図２参照）、第１−２熱伝逹媒体弁１２５は、第１サブ吸着器１２１ａの熱伝逹媒体配管ＭＰ側下流側を再生予熱器１１４に連結し、第２−１熱伝逹媒体弁１２６は、第２サブ吸着器１２１ｂの熱伝逹媒体配管ＭＰ側上流側を、外部熱源ＥＨＳに連結し、第２−２熱伝逹媒体弁１２７は、第２サブ吸着器１２１ｂの熱伝逹媒体配管ＭＰ側下流側を、外部熱源ＥＨＳに連結することができる。
【００６４】
図２に図示されているように、再生予熱器１１４が第１サブ吸着器１２１ａに連結され、外部熱源ＥＨＳが第２サブ吸着器１２１ｂと連結される場合、第１サブ吸着器１２１ａの冷媒配管ＲＥＰ側は、蒸発器１２３と連結され、蒸発器１２３で蒸発された冷媒を伝達され、その冷媒を吸収し、第２サブ吸着器１２１ｂの冷媒配管ＲＥＰ側は、凝縮器１２２と連結され、第２サブ吸着器１２１ｂで脱着された冷媒を凝縮器１２２に伝達することができる。すなわち、図２は、第１サブ吸着器１２１ａが吸着モードで作動し、第２サブ吸着器１２１ｂは、再生モードで作動する場合を図示している。
【００６５】
詳細には、第１サブ吸着器１２１ａにおいて、吸着モードが円滑に遂行されるためには、第１サブ吸着器１２１ａは、吸着温度に維持される必要がある。ここで、前述のように、再生予熱器１１４は、３０℃ないし５０℃ほどに維持されるので、再生予熱器１１４から第１サブ吸着器１２１ａに、３０℃ないし５０℃ほどの熱伝逹媒体を供給する場合、第１サブ吸着器１２１ａを吸着温度に維持させることができる。
【００６６】
そして、第１サブ吸着器１２１ａに流入した熱伝逹媒体は、第１サブ吸着器１２１ａで発生する吸着熱によって加熱され、４０℃ないし５０℃に昇温され、かように昇温された熱伝逹媒体は、再び再生予熱器１１４側に伝達されることにより、再生通路ＲＰに流入した空気予熱に使用される。
【００６７】
また、第２サブ吸着器１２１ｂにおいて、再生モードが円滑に遂行されるためには、第２サブ吸着器１２１ｂは、再生温度に維持される必要がある。ここで、外部熱源ＥＨＳは、外部から供給される熱伝逹媒体を意味し、例えば、発電所で捨てられる廃熱を含み、その以外に、産業廃熱、焼却熱などの熱源をも含み、同時に、太陽熱、地熱など再生エネルギーも含んでもよい。先に列挙した外部熱源ＥＨＳの多様な例のほとんどは、１００℃未満の低温熱源であり、第２サブ吸着器１２１ｂには、約７０℃ないし９０℃の熱伝逹媒体が流入される。すなわち、外部熱源ＥＨＳを利用して、第２サブ吸着器１２１ｂを再生モードで駆動させることができる。
【００６８】
また、外部熱源ＥＨＳから第２サブ吸着器１２１ｂに伝達された熱伝逹媒体は、第２サブ吸着器１２１ｂを経て減温される。それは、第２サブ吸着器１２１ｂに吸着されていた液体状態の冷媒が脱着（蒸発）されるためであり、該冷媒が蒸発することにより、第２サブ吸着器１２１ｂを経る熱伝逹媒体の熱を奪うからである。
【００６９】
かように、第２サブ吸着器１２１ｂで減温された熱伝逹媒体の温度は、約７０℃ほどであり、第２サブ吸着器１２１ｂで減温された熱伝逹媒体は、第３熱伝逹媒体弁１２８の開放方向に沿って、ヒーティングコイル１１３に伝達されるか、あるいは再び外部熱源ＥＨＳに伝達される。例えば、第３熱伝逹媒体弁１２８が、第２−２熱伝逹媒体弁１２７から、熱伝逹媒体配管ＭＰに沿って外部熱源ＥＨＳに流動する熱伝逹媒体の流動を遮断する場合（図２参照）、すなわち、第３熱伝逹媒体弁１２８が、第２−２熱伝逹媒体弁１２７からヒーティングコイル１１３に流動する熱伝逹媒体の流動を許容する場合、ヒーティングコイル１１３は、第２サブ吸着器１２１ｂで供給される熱伝逹媒体によって、約７０℃ほどに維持され、それにより、ヒーティングコイル１１３を経る空気が加熱される。かように、ヒーティングコイル１１３を経て加熱された空気によって、再生通路ＲＰを経る除湿ロータ１１２の一部の再生効率が上昇する。
【００７０】
一方、第３熱伝逹媒体弁１２８が、第２−２熱伝逹媒体弁１２７から熱伝逹媒体配管ＭＰに沿って外部熱源ＥＨＳに流動する熱伝逹媒体の流動を開放する場合（図示せず）、すなわち、第３熱伝逹媒体弁１２８が、第２−２熱伝逹媒体弁１２７からヒーティングコイル１１３に流動する熱伝逹媒体の流動を遮断する場合、第２サブ吸着器１２１ｂで所定温度減温された熱伝逹媒体は、再び外部熱源ＥＨＳに伝達される。
【００７１】
他の例示として、第１−１熱伝逹媒体弁１２４が、第１サブ吸着器１２１ａの熱伝逹媒体配管ＭＰ側上流側を、外部熱源ＥＨＳに連結する場合（図３参照）、第１−２熱伝逹媒体弁１２５は、第１サブ吸着器１２１ａの熱伝逹媒体配管ＭＰ側下流側を、外部熱源ＥＨＳに連結し、第２−１熱伝逹媒体弁１２６は、第２サブ吸着器１２１ｂの熱伝逹媒体配管ＭＰ側上流側を再生予熱器１１４に連結し、第２−２熱伝逹媒体弁１２７は、第２サブ吸着器１２１ｂの熱伝逹媒体配管ＭＰ側下流側を再生予熱器１１４に連結することができる。
【００７２】
図３に図示されているように、外部熱源ＥＨＳと再生予熱器１１４とがそれぞれ第１サブ吸着器１２１ａ及び第２サブ吸着器１２１ｂと連結される場合、第１サブ吸着器１２１ａの冷媒配管ＲＥＰ側は、凝縮器１２２と連結され、第１サブ吸着器１２１ａで脱着された冷媒を凝縮器１２２に伝達し、第２サブ吸着器１２１ｂの冷媒配管ＲＥＰ側は、蒸発器１２３と連結され、蒸発器１２３で蒸発された冷媒を伝達され、その冷媒を吸着することができる。すなわち、図３は、第１サブ吸着器１２１ａが再生モードで作動し、第２サブ吸着器１２１ｂは、吸着モードで作動する場合を示す。
【００７３】
詳細には、第１サブ吸着器１２１ａで再生モードが円滑に遂行されるためには、第１サブ吸着器１２１ａは、再生温度に維持される必要がある。ここで、前述のように、外部熱源ＥＨＳは、外部から供給される熱伝逹媒体を意味し、例えば、発電所で捨てられる廃熱を含み、その以外に、産業廃熱、焼却熱などの熱源を含み、同時に、太陽熱、地熱など再生エネルギーも含んでもよい。先に列挙した外部熱源ＥＨＳの多様な例のほとんどは、１００℃未満の低温熱源であり、第１サブ吸着器１２１ａには、約７０℃ないし９０℃の熱伝逹媒体が流入される。すなわち、外部熱源ＥＨＳを利用して、第１サブ吸着器１２１ａを再生モードで駆動させることができる。
【００７４】
また、外部熱源ＥＨＳから第１サブ吸着器１２１ａに伝達された熱伝逹媒体は、第１サブ吸着器１２１ａを経て減温される。それは、第１サブ吸着器１２１ａに吸着されていた液体状態の冷媒が脱着（蒸発）されるためであり、冷媒が蒸発することにより、第１サブ吸着器１２１ａを経る熱伝逹媒体の熱を奪うからである。
【００７５】
かように、第１サブ吸着器１２１ａで減温された熱伝逹媒体の温度は、約７０℃ほどであり、第１サブ吸着器１２１ａで減温された熱伝逹媒体は、再びヒーティングコイル１１３に伝達されるか、あるいはさらに外部熱源ＥＨＳに伝達される。従って、第３熱伝逹媒体弁１２８が、第１−２熱伝逹媒体弁１２５から熱伝逹媒体配管ＭＰに沿って外部熱源ＥＨＳに流動する熱伝逹媒体の流動を遮断する場合（図示せず）、すなわち、第３熱伝逹媒体弁１２８が、第１−２熱伝逹媒体弁１２５からヒーティングコイル１１３に流動する熱伝逹媒体の流動を許容する場合、ヒーティングコイル１１３は、第２サブ吸着器１２１ｂから供給される熱伝逹媒体によって約７０℃ほどに維持され、それにより、ヒーティングコイル１１３を経る空気が加熱される。かように、ヒーティングコイル１１３を経て加熱された空気によって、再生通路ＲＰを経る除湿ロータ１１２の一部の再生効率が上昇する。
【００７６】
一方、第３熱伝逹媒体弁１２８が、第１−２熱伝逹媒体弁１２５から熱伝逹媒体配管ＭＰに沿って外部熱源ＥＨＳに流動する熱伝逹媒体の流動を開放する場合（図３参照）、すなわち、第３熱伝逹媒体弁１２８が、第１−２熱伝逹媒体弁１２５からヒーティングコイル１１３に流動する熱伝逹媒体の流動を遮断する場合、第１サブ吸着器１２１ａで所定温度減温された熱伝逹媒体は、再び外部熱源ＥＨＳに伝達される。
【００７７】
また、第２サブ吸着器１２１ｂで吸着モードが円滑に遂行されるためには第、２サブ吸着器１２１ｂは、吸着温度に維持される必要がある。ここで、前述のように、再生予熱器１１４は、３０℃ないし５０℃ほどに維持されるので、再生予熱器１１４から第２サブ吸着器１２１ｂに、３０℃ないし５０℃ほどの熱伝逹媒体を供給する場合、第２サブ吸着器１２１ｂを吸着温度に維持させることができる。
【００７８】
そして、第２サブ吸着器１２１ｂに流入した熱伝逹媒体は、第２サブ吸着器１２１ｂで発生する吸着熱によって加熱され、４０℃ないし５０℃に昇温され、かように昇温された熱伝逹媒体は、さらに再生予熱器１１４側に伝達されることにより、再生通路ＲＰに流入した空気予熱に使用される。
【００７９】
前述のような構造によれば、本発明の一実施形態による吸着式ハイブリッド除湿冷房システム１００を介して、空調空間ＣＳに冷房を供給するのに必要な電力は、送風機１１８、第１ポンプ１２９ａ及び第２ポンプ１２９ｂの移送動力でもある。かような送風機１１８、第１ポンプ１２９ａ及び第２ポンプ１２９ｂの電力使用量は、既存の電気式ハイブリッド除湿冷房システムにおいて、冷房生産のために必要な圧縮器の電力使用量に比べ、顕著に低いので、既存電気式ハイブリッド除湿冷房システムに比べ、電力使用量を節減することができる。
【００８０】
また、本発明の一実施形態による吸着式ハイブリッド除湿冷房システム１００は、吸着式冷房機１２０のエネルギー源である外部熱源ＥＨＳを回収し、さらに除湿冷房機１１０のヒーティングコイル１１３の加熱に使用することにより、全体的な熱エネルギー入力を、既存の電気式ハイブリッド除湿冷房システムに比べて減縮することができる。
【００８１】
前述の実施形態に係わる構成及び効果についての説明は、例示的なものに過ぎず、当該技術分野で当業者であるならば、それらから多様な変形、及び均等な他の実施形態が可能であるという点を理解するであろう。従って、発明の真正の技術的保護範囲は、特許請求の範囲によって決められるものである。
【産業上の利用可能性】
【００８２】
本発明の吸着式ハイブリッド除湿冷房システムは、例えば、除湿冷房関連の技術分野に効果的に適用可能である。
【符号の説明】
【００８３】
１００    吸着式ハイブリッド除湿冷房システム
１１０    除湿冷房機
１１１    ハウジング
１１２    除湿ロータ
１１３    ヒーティングコイル
１１４    再生予熱器
１１５    冷却器
１１６    再冷却器
１１７    フィルタ
１１８    送風機
１２０    吸着式冷房機
１２１    吸着器
１２１ａ    第１サブ吸着器
１２１ｂ    第２サブ吸着器
１２２    凝縮器
１２３    蒸発器
１２４    第１−１熱伝逹媒体弁
１２５    第１−２熱伝逹媒体弁
１２６    第２−１熱伝逹媒体弁
１２７    第２−２熱伝逹媒体弁
１２８    第３熱伝逹媒体弁
１２９ａ    第１ポンプ
１２９ｂ    第２ポンプ
【図１】
2018179486.tif 000003
【図２】
2018179486.tif 000004
【図３】
2018179486.tif 000005